(57)【要約】      （修正有）【課題】正極と負極の接続端の誤接触によるショートの発生を防止し、ファン全体は光線の屈折照射或いは反射の光透過視覚効果を達成する放熱ファンの発光構造を提供する。【解決手段】ファンフレーム１１、羽ホイール１３、発光部品１４から構成し、羽ホイールはホイールこしき１３１及びホイールこしきに沿って外へと延長するファン羽１３２を含む。ファンフレームは強度を有する接続固定部１５を形成すると共に中央に流路１１１を開設し、接続固定部は発光部品の設置、固定に用いる下凹部１５１を凹設し、下凹部は、発光部品の正極、負極接続端１４１、１４２はそれぞれ接続固定部両側を跨ぐ形で設置される。こうして発光部品の正極、負極間は該接続固定部により隔離され、すなわち正極、負極両端の誤接触によるショートの発生を防止することができる。【選択図】図１
0003109557.tif 000002
【実用新案登録請求の範囲】
【請求項１】
ファンフレーム、羽ホイール、及び少なくとも一個の発光部品から構成し、
該羽ホイールはホイールこしき及び該ホイールこしきに沿って外方へ延長するファン羽を有し、
該ファンフレームは接続固定部を形成すると共に、中央部に流路を開設し、該流路は該ファンフレーム両側に流通する第一貫通孔、第二貫通孔を形成して、流体を流動させ、さらに該流路中央にはホイールこしき台を設置して、該羽ホイールを回転可能に設置し、
該発光部品は正極、負極接続端を具え、
該接続固定部は第一貫通孔より第二貫通孔方向に向かい下凹部を凹設し、該下凹部には該発光部品の設置、固定して、これにより、該発光部品の正極、負極接続端をそれぞれ該接続固定部両側を跨ぐ形で設置することにより、該発光部品の正極、負極間を該接続固定部により隔離されることを特徴とする放熱ファンの発光構造。
【請求項２】
前記発光部品の頂点端は前記ファンフレーム中心方向に向けて前記下凹部内に設置されることを特徴とする請求項１記載の放熱ファンの発光構造。
【請求項３】
前記発光部品はLEDであることを特徴とする請求項１記載の放熱ファンの発光構造。
【請求項４】
前記ファンフレームは光透過材料、光半透過材料により製造することを特徴とする請求項１記載の放熱ファンの発光構造。
【請求項５】
前記羽ホイールは光不透過材料、光透過材料、光半透過材料、或いは光反射材料により製造することを特徴とする請求項１記載の放熱ファンの発光構造。
【請求項６】
前記ファンフレームは固定蓋を設置し、前記下凹部上において係合固定することを特徴とする請求項１記載の放熱ファンの発光構造。
【請求項７】
前記固定蓋は係合固定部を設置し、前記下凹部において係合固定されることを特徴とする請求項６記載の放熱ファンの発光構造。
【請求項８】
前記下凹部は受接部を設置し、これにより前記固定蓋の係合固定部は嵌設されることを特徴とする請求項７記載の放熱ファンの発光構造。
【考案の詳細な説明】
【技術分野】
【０００１】
本考案は一種の放熱ファンの発光構造に関する。特に一種の発光部品を設けた放熱ファンの構造に係る。
【背景技術】
【０００２】
ＩＴ産業の急速な発展に伴い、電子製品のＣＰＵの処理速度も高速化しており、それに従い発生する熱量も増加している。このような熱量を効果的に排除するために、現在ではファンが最も基本的な配備となっており、ファンの運転で生じる熱対流現象を利用し、冷たい空気により熱い空気を導出し、コンピュータに適当な温度下での効果的な作動環境を提供する。
しかし、ファンは一般には放熱機能を持つものとしてのみ認識されているが、付加価値を持たせ、機能で他に秀でるばかりでなく、その付加価値で消費者の支持を得ようと、本考案人はファンの外観デザインから工夫を始めた。しかし、ファンの外形に変化を加えようとすると、その機能と用途への影響を考慮しなければならないため、構造変更には限りがあり、その基本形状を変えることは不可能であった。そのため、ファンに発光部品を設置し、ファンに光という視覚効果を与え、消費者にアピールすることを目指した。
【０００３】
中華民国公報公告第520149号に示す「発光機能を具えた放熱ファン」技術は主にファン基台、ファン羽組、数組のLEDにより構成する。
該ファン羽組のファン羽は該ファン基台フレーム中に嵌設、定位され、回転する。これにより、該放熱ファンは気体の対流を生じ、放熱作用を発揮し、かつ該ファン羽は蛍光材質により構成するため、蛍光機能を具える。該ファン基台の嵌槽は周辺面において等角度の間隔で複数の挿入孔を貫通形成する。該数個の挿入孔中にはそれぞれ対応するLEDを定位する。該数組のLEDは印刷回路板導線により直列に接続し、かつ該印刷回路板導線と該ファン羽組に接続する導線は直列に接続する。こうして、該ファン羽組は通電してファン羽が回転する時、数組のLEDもまた通電されて発光する。さらに該LEDは該ファン基台の内嵌槽において光線を発し屈折照射し、放熱ファンは放射発光と蛍光の新奇な視覚効果を達成する。
しかし、該実施方式には問題があった。すなわち、該LEDを挿入孔に定位後、印刷回路板導線と直列接続して通電させるが、該LEDの正極と負極に良好な絶縁を施さなかったため、ファンの回転の振動で正負極の両端が接触し、ショート現象が起き易かった。重大な場合には、ファンの損壊をも招き、コンピュータ温度上昇によるフリーズをも引起していた。
【０００４】
さらに別の公知の方式には、中華民国公報公告第539169号に示す「灯光効果を具えた放熱ファン」がある。該構造が示す技術は主に、フレームの軸芯位置において底台を設置し、該底台上には回路板を設置する。該回路板上には固定子を具え、該固定子上には相対しファン羽組を結合する。
該フレーム内壁には1個以上の設置孔を形成し、該設置孔内にはLEDを設置する。該LEDは該回路板上に設置するファン駆動回路と同期駆動し、外部のコントローラ回路によりこれを駆動する。該LEDの光線投射方向は該ファン羽組上のファン羽に相対し、該フレームはカラー、或いは透明なプラスチック材料で構成するため、該ファン羽組が回転する時、華やかな動態光線効果を発揮する。
しかし、上記構造においても公知構造同様、正負極両端を適当に隔離しないという問題が残っているため、ショートを引起し、ファンの損壊を招き、コンピュータ設備に及ぼす危険を回避できなかった。
【特許文献１】特開２００４−１３４４２３号公報
【考案の開示】
【考案が解決しようとする課題】
【０００５】
本考案は上記構造の問題点を解決した放熱ファンの発光構造を提供するものである。
それは主にファンフレームに設置する下凹部に発光部品を設置することを利用し、接続固定部により発光部品の正極と負極の両接続端を隔絶し、正極と負極の接続端の誤接触によるショートの発生を防止し、
またそれは、発光部品を設置することにより、ファン全体は光線の屈折照射或いは反射の光透過視覚効果を達成する。
【課題を解決するための手段】
【０００６】
上記課題を解決するため、本考案は下記の放熱ファンの発光構造を提供する。
それは主に少なくともファンフレーム、羽ホイール、少なくとも一個の発光部品を含み、
該羽ホイールはホイールこしき及び該ホイールこしきに沿って外へと延伸するファン羽を含み、
該ファンフレームは接続固定部を形成し、流路を開設し、該流路は該ファンフレーム両側においてそれぞれ第一貫通孔、第二貫通孔を形成し、
該接続固定部は該第一貫通孔より第二貫通孔方向に向かい下凹部を凹設置し、該下凹部は該発光部品の設置、固定に用い、これにより、該発光部品の正極、負極接続端はそれぞれ該接続固定部両側を跨ぐ形で設置され、こうして該発光部品の正極、負極間は該接続固定部により隔離されることを特徴とする放熱ファンの発光構造である。
【考案の効果】
【０００７】
上記のように、本考案はファンフレームに設置する下凹部に発光部品を設置することを利用し、接続固定部により発光部品の正極と負極の両接続端を隔絶し、正極と負極の接続端の誤接触によるショートの発生を防止することができる。さらに本考案は発光部品を設置することにより、ファン全体は光線の屈折照射或いは反射の光透過の視覚効果を達成する。
【考案を実施するための最良の形態】
【０００８】
図１、２、３、４に示すように、本考案構造は少なくともファンフレーム１１、回路板１２、羽ホイール１３、少なくとも一個の発光部品１４を含む。
該羽ホイール１３は、光不透過材料、光透過材料、光半透過材料、或いは光反射材料により構成し、ホイールこしき１３１及び該ホイールこしき１３１に沿って外へと延長するファン羽１３２を含む。
該ファンフレーム１１は光透過材料、光半透過材料で構成し、中央には流路を開設する。該流路は該ファンフレーム１１両側においてそれぞれ第一貫通孔１１１、第二貫通孔１１２を形成し、流体を流動させる。さらに該流路内には支持部１１３により支持されるホイールこしき台１１４を設置する。該ホイールこしき台１１４は該羽ホイール１３を回転可能に設置するために用い、該ファンフレーム１１には接続固定部１５を形成する。該接続固定部１５の両側下端には貫通孔１５２を設け、該第一貫通孔１１１より該第二貫通孔１１２方向に向かい下凹部１５１を凹設する。該下凹部１５１は該発光部品１４の設置、固定に用いる。
固定蓋１６には係合固定部１６１を設け、下凹部１５１上に係合固定する。これにより、該発光部品１４を該下凹部１５１及び該固定蓋１６間に係合固定し、該回路板１２は該ホイールこしき台１１４上で該羽ホイール１３１３の下方に嵌設する。こうして、該羽ホイール１３の回転を駆動し、該発光部品１４を発光させる。
【０００９】
該下凹部１５１は該ファンフレーム１１を貫通する貫通孔を設置し、該貫通孔は受接部１５１１を形成する。これにより、該固定蓋１６の係合固定部１６１は該受接部１５１１において嵌設する。
該発光部品１４は、本最適実施例中ではLEDである。該LEDは正極１４１、負極１４２の両接続端を具え、その頂点端１４３は該ファンフレーム１１の中心方向に向けて該下凹部１５１に設置、固定する。該発光部品１４が具える正極１４１、負極１４２の両接続端が該受接部１５１１を通して該接続固定部１５に跨ぐ形で配置される。こうして、該正極１４１、負極１４２の両接続端はそれぞれ該接続固定部１５の両側に設置されるため、該発光部品１４の正極１４１、負極１４２の間は該接続固定部１５により隔離されて、該正極１４１、負極１４２両端が誤って接触することを防止する。
該回路板１２は電源供給線１２１を延伸する。該電源供給線１２１は該支持部１１３に沿い、さらに該貫通孔１５２を貫通して、該発光部品１４の正極１４１、負極１４２の両接続端に接続する。こうして該発光部品１４が必要とする電源を提供する。
【００１０】
続いて図５、６に示すように、該回路板１２が該羽ホイール１３を駆動し、該ファンフレーム１１中において回転させる時、流体を牽引し該流体は該第一貫通孔１１１及び該第二貫通孔１１２を通過する。こうして、流体は対流現象を生じ、放熱効果を発揮する。同時に該回路板１２は該電源供給線１２１を通して、該発光部品１４の正極１４１、負極１４２両端に通電し発光させる。これにより、発せられる光線は光透過材料、或いは光半透過材料により製造されるファンフレーム１１を通して外部に届いて視覚効果を生じる。
さらに、該羽ホイール１３は光透過材料、光半透過材料、或いは反射材料により製造されることから、該羽ホイール１３の回転時には光線は屈折照射及び反射作用を生じ、一つの光源から多くの光を発するという効果を達成する。こうして、該ファンフレーム１１及び該ホイールこしき１３１全体が発光するという視覚効果が生まれ、しかも該正極１４１と該負極１４２両端は該接続固定部１４により隔てられ、両極の端部が誤接触し起きるショートを防止することができる。
以上は本考案の最適実施例を述べたまでで、本考案を利用する上記の方法、形状、構造、装置のすべての変化は本考案の権利範囲に含まれるものとする。
【図面の簡単な説明】
【００１１】
【図１】本考案最適実施例の立体分解指示図である。
【図２】本考案最適実施例の別の角度からの立体分解指示図である。
【図３】図１の組合せ指示図である。
【図４】図２の組合せ指示図である。
【図５】本考案最適実施例の俯瞰指示図である。
【図６】本考案の断面指示図である。
【符号の説明】
【００１２】
１１  ファンフレーム
１１１  第一貫通孔
１１２  第二貫通孔
１１３  支持部
１１４  ホイールこしき台
１２  回路板
１２１  電源供給線
１３  羽ホイール
１３１  ホイールこしき
１３２  ファン羽
１４  発光部品
１４１  正極
１４２  負極
１４３  頂点端
１５  接続固定部
１５１  下凹部
１５１１  受接部
１６  固定蓋
１６１  係合固定部
【図１】
0003109557.tif 000003
【図２】
0003109557.tif 000004
【図３】
0003109557.tif 000005
【図４】
0003109557.tif 000006
【図５】
0003109557.tif 000007
【図６】
0003109557.tif 000008